(57)【特許請求の範囲】
【請求項１】
リチウムイオン二次電池を複数直列に接続して構成され、フロート充電によって充電される組電池を管理するリチウムイオン組電池の管理方法であって、
前記フロート充電のための電力供給停止によって前記組電池が放電した際に、放電末期の各リチウムイオン二次電池の電圧を測定、記憶し、
前記電力供給の復旧によって前記組電池を充電する前に、前記記憶した放電末期の電圧に基づいて、前記組電池のなかに過放電状態にあるリチウムイオン二次電池があるか否かを判定し、
過放電状態にあるリチウムイオン二次電池がある場合には、前記組電池の充電を行わない、
ことを特徴とするリチウムイオン組電池の管理方法。
【請求項２】
リチウムイオン二次電池を複数直列に接続して構成され、フロート充電によって充電される組電池を管理するリチウムイオン組電池の管理方法であって、
前記フロート充電のための電力供給停止後で前記電力供給の復旧によって前記組電池を回復充電する前に、前記組電池を一時的に仮充電し、各リチウムイオン二次電池の電圧上昇状況に基づいて、前記組電池のなかに過放電状態にあるリチウムイオン二次電池があるか否かを判定し、
過放電状態にあるリチウムイオン二次電池がある場合には、前記組電池の充電を行わない、
ことを特徴とするリチウムイオン組電池の管理方法。
【請求項３】
リチウムイオン二次電池を複数直列に接続して構成され、フロート充電によって充電される組電池を管理するリチウムイオン組電池の管理方法であって、
前記フロート充電のための電力供給停止後で前記電力供給の復旧によって前記組電池を回復充電する前に、前記組電池を一時的に仮放電し、各リチウムイオン二次電池の電圧降下状況に基づいて、前記組電池のなかに過放電状態にあるリチウムイオン二次電池があるか否かを判定し、
過放電状態にあるリチウムイオン二次電池がある場合には、前記組電池の充電を行わない、
ことを特徴とするリチウムイオン組電池の管理方法。
【請求項４】
リチウムイオン二次電池を複数直列に接続して構成され、フロート充電によって充電される組電池を管理するリチウムイオン組電池の管理装置であって、
前記フロート充電のための電力供給停止によって前記組電池が放電した際に、放電末期の各リチウムイオン二次電池の電圧を測定、記憶する監視手段と、
前記電力供給の復旧によって前記組電池を充電する前に、前記監視手段によって記憶された放電末期の電圧に基づいて、前記組電池のなかに過放電状態にあるリチウムイオン二次電池があるか否かを判定する判定手段と、
前記判定手段によって過放電状態にあるリチウムイオン二次電池があると判定された場合に、前記組電池の充電を回避する回避手段と、
を備えることを特徴とするリチウムイオン組電池の管理装置。
【請求項５】
リチウムイオン二次電池を複数直列に接続して構成され、フロート充電によって充電される組電池を管理するリチウムイオン組電池の管理装置であって、
前記フロート充電のための電力供給停止後で前記電力供給の復旧によって前記組電池を回復充電する前に、前記組電池を一時的に仮充電する仮充電手段と、
前記仮充電中の各リチウムイオン二次電池の電圧上昇状況に基づいて、前記組電池のなかに過放電状態にあるリチウムイオン二次電池があるか否かを判定する判定手段と、
前記判定手段によって過放電状態にあるリチウムイオン二次電池があると判定された場合に、前記組電池の充電を回避する回避手段と、
を備えることを特徴とするリチウムイオン組電池の管理装置。
【請求項６】
リチウムイオン二次電池を複数直列に接続して構成され、フロート充電によって充電される組電池を管理するリチウムイオン組電池の管理装置であって、
前記フロート充電のための電力供給停止後で前記電力供給の復旧によって前記組電池を回復充電する前に、前記組電池を一時的に仮放電する仮放電手段と、
前記仮放電中の各リチウムイオン二次電池の電圧降下状況に基づいて、前記組電池のなかに過放電状態にあるリチウムイオン二次電池があるか否かを判定する判定手段と、
前記判定手段によって過放電状態にあるリチウムイオン二次電池があると判定された場合に、前記組電池の充電を回避する回避手段と、
を備えることを特徴とするリチウムイオン組電池の管理装置。
【発明の詳細な説明】
【技術分野】
【０００１】
この発明は、リチウムイオン二次電池を複数直列に接続して構成された組電池を管理するリチウムイオン組電池の管理方法および管理装置に関する。
【背景技術】
【０００２】
リチウムイオン二次電池は、エネルギー密度が高い、自己放電量が少ない、などという利点を有し、自動車用蓄電池や電気・電子機器用蓄電池などとして広く使用されている。また、使用目的に応じた電圧や容量を得るために、単電池であるリチウムイオンセルを複数接続して組電池を構成し、使用する場合がある。一方、リチウムイオン二次電池は、過充電などによって異常発熱が生じ、さらには、電解液が有機溶剤であるために発火事故が発生するおそれがある。
【０００３】
また、リチウムイオン二次電池は、過放電すると、正極のコバルトが溶出したり、陰極（負極）の集電体の銅が溶出したりし、放電後の回復充電の際に、内部短絡や異常発熱などに至るおそれがある。しかも、エネルギー密度が高いために、短絡時には急激に過熱する危険性が高い。このため、過放電させないために、いずれかのリチウムイオン二次電池の電圧が所定の電圧（放電終止電圧など）に達したときに、組電池と負荷とを切り離して放電を終了させる技術が知られている（例えば、特許文献１、２参照。）。
【先行技術文献】
【特許文献】
【０００４】
【特許文献１】特開２００４−３４９１９５号公報
【特許文献２】特開２００７−１６６７４７号公報
【発明の概要】
【発明が解決しようとする課題】
【０００５】
ところで、例えば、リチウムイオン二次電池を通信機器や制御機器などのバックアップ電源として使用する場合、通信機器の重要性などによっては、通信機器の機能を維持するために、リチウムイオン二次電池を所定の電圧よりも低い電圧まで放電せざるを得ない場合がある。つまり、上記特許文献１、２の技術に係らず、リチウムイオン二次電池を過放電状態にせざるを得ない場合があるが、このような場合、リチウムイオン二次電池を回復充電すると、内部短絡や異常発熱などに至るおそれがある。
【０００６】
このため、例えば、放電後の回復充電を行う直前に、各リチウムイオン二次電池の開放電圧を測定し、内部短絡の有無を判定することが考えられるが、内部短絡をしていても、見かけ上電圧が回復している場合があり、内部短絡の有無を適正に判定することは困難である。さらに、リチウムイオン二次電池を複数直列に接続して組電池として使用する場合、各リチウムイオン二次電池の内部抵抗のバラツキが大きく、特にリチウムイオン二次電池が経年劣化している場合には、そのバラツキが大きい。このため、リチウムイオン二次電池の内部抵抗によって、内部短絡の有無を適正に判定することも困難である。
【０００７】
そこでこの発明は、過放電したことによる内部短絡や異常発熱などをより確実に防止することが可能なリチウムイオン組電池の管理方法および管理装置を提供することを目的とする。
【課題を解決するための手段】
【０００８】
上記目的を達成するために請求項１に記載の発明は、リチウムイオン二次電池を複数直列に接続して構成され、フロート充電によって充電される組電池を管理するリチウムイオン組電池の管理方法であって、前記フロート充電のための電力供給停止によって前記組電池が放電した際に、放電末期の各リチウムイオン二次電池の電圧を測定、記憶し、前記電力供給の復旧によって前記組電池を充電する前に、前記記憶した放電末期の電圧に基づいて、前記組電池のなかに過放電状態にあるリチウムイオン二次電池があるか否かを判定し、過放電状態にあるリチウムイオン二次電池がある場合には、前記組電池の充電を行わない、ことを特徴とする。
【０００９】
請求項２に記載の発明は、リチウムイオン二次電池を複数直列に接続して構成され、フロート充電によって充電される組電池を管理するリチウムイオン組電池の管理方法であって、前記フロート充電のための電力供給停止後で前記電力供給の復旧によって前記組電池を回復充電する前に、前記組電池を一時的に仮充電し、各リチウムイオン二次電池の電圧上昇状況に基づいて、前記組電池のなかに過放電状態にあるリチウムイオン二次電池があるか否かを判定し、過放電状態にあるリチウムイオン二次電池がある場合には、前記組電池の充電を行わない、ことを特徴とする。
【００１０】
請求項３に記載の発明は、リチウムイオン二次電池を複数直列に接続して構成され、フロート充電によって充電される組電池を管理するリチウムイオン組電池の管理方法であって、前記フロート充電のための電力供給停止後で前記電力供給の復旧によって前記組電池を回復充電する前に、前記組電池を一時的に仮放電し、各リチウムイオン二次電池の電圧降下状況に基づいて、前記組電池のなかに過放電状態にあるリチウムイオン二次電池があるか否かを判定し、過放電状態にあるリチウムイオン二次電池がある場合には、前記組電池の充電を行わない、ことを特徴とする。
【００１１】
請求項４に記載の発明は、リチウムイオン二次電池を複数直列に接続して構成され、フロート充電によって充電される組電池を管理するリチウムイオン組電池の管理装置であって、  前記フロート充電のための電力供給停止によって前記組電池が放電した際に、放電末期の各リチウムイオン二次電池の電圧を測定、記憶する監視手段と、前記電力供給の復旧によって前記組電池を充電する前に、前記監視手段によって記憶された放電末期の電圧に基づいて、前記組電池のなかに過放電状態にあるリチウムイオン二次電池があるか否かを判定する判定手段と、前記判定手段によって過放電状態にあるリチウムイオン二次電池があると判定された場合に、前記組電池の充電を回避する回避手段と、を備えることを特徴とする。
【００１２】
請求項５に記載の発明は、リチウムイオン二次電池を複数直列に接続して構成され、フロート充電によって充電される組電池を管理するリチウムイオン組電池の管理装置であって、前記フロート充電のための電力供給停止後で前記電力供給の復旧によって前記組電池を回復充電する前に、前記組電池を一時的に仮充電する仮充電手段と、前記仮充電中の各リチウムイオン二次電池の電圧上昇状況に基づいて、前記組電池のなかに過放電状態にあるリチウムイオン二次電池があるか否かを判定する判定手段と、前記判定手段によって過放電状態にあるリチウムイオン二次電池があると判定された場合に、前記組電池の充電を回避する回避手段と、を備えることを特徴とするリチウムイオン組電池の管理装置である。
【００１３】
請求項６に記載の発明は、リチウムイオン二次電池を複数直列に接続して構成され、フロート充電によって充電される組電池を管理するリチウムイオン組電池の管理装置であって、前記フロート充電のための電力供給停止後で前記電力供給の復旧によって前記組電池を回復充電する前に、前記組電池を一時的に仮放電する仮放電手段と、前記仮放電中の各リチウムイオン二次電池の電圧降下状況に基づいて、前記組電池のなかに過放電状態にあるリチウムイオン二次電池があるか否かを判定する判定手段と、前記判定手段によって過放電状態にあるリチウムイオン二次電池があると判定された場合に、前記組電池の充電を回避する回避手段と、を備えることを特徴とするリチウムイオン組電池の管理装置である。
【発明の効果】
【００１４】
請求項１および４に記載の発明によれば、組電池が放電した際の放電末期の各リチウムイオン二次電池の電圧に基づいて、過放電状態にあるリチウムイオン二次電池があるか否かを判定する。つまり、実際の放電時の電圧に基づいて判定するため、過放電状態にあるリチウムイオン二次電池の有無を適正に判定することが可能である。
【００１５】
請求項２および５に記載の発明によれば、組電池を一時的に仮充電し、各リチウムイオン二次電池の電圧上昇状況に基づいて、過放電状態にあるリチウムイオン二次電池があるか否かを判定する。つまり、仮充電時の充電状況の正常性・異常性に基づいて判定するため、過放電状態にあるリチウムイオン二次電池の有無を適正に判定することが可能である。
【００１６】
請求項３および６に記載の発明によれば、組電池を一時的に仮放電し、各リチウムイオン二次電池の電圧降下状況に基づいて、過放電状態にあるリチウムイオン二次電池があるか否かを判定する。つまり、仮放電時の放電状況の正常性・異常性に基づいて判定するため、過放電状態にあるリチウムイオン二次電池の有無を適正に判定することが可能である。
【００１７】
そして、このような適正な判定結果に基づいて、過放電状態にあるリチウムイオン二次電池がある場合には、組電池の充電を行わないため、過放電したことによる内部短絡や異常発熱などをより確実に防止することが可能となる。
【図面の簡単な説明】
【００１８】
【図１】この発明の実施の形態１に係るリチウムイオン組電池の管理装置の適用例を示す概略構成図である。
【図２】この発明の実施の形態３に係るリチウムイオン組電池の管理装置の適用例を示す概略構成図である。
【発明を実施するための形態】
【００１９】
以下、この発明を図示の実施の形態に基づいて説明する。
【００２０】
（実施の形態１）
図１は、この実施の形態に係るリチウムイオン組電池の管理装置（以下、単に「管理装置」という）を備えたリチウムイオン組電池ユニット１を整流装置に適用した状態を示す概略構成図である。この実施の形態では、リチウムイオン組電池２０を負荷設備１００のバックアップ電源とし、整流装置によってフロート充電で運用する場合について説明する。
【００２１】
リチウムイオン組電池２０は、リチウムイオンセル（リチウムイオン二次電池）２を１２セル直列に接続して構成され、負荷設備１００と並列に電力供給系統に接続されている。すなわち、商用電源３１が整流器（交流直流変換器）３２を介して、負荷設備１００とリチウムイオン組電池２０とに接続され、商用電源３１からの電力が整流器３２によって整流（直流変換）されて、負荷設備１００およびリチウムイオン組電池２０に供給されるようになっている。
【００２２】
また、リチウムイオン組電池２０は、充電スイッチ（回避手段）４１を介して整流器３２に接続されている。この充電スイッチ４１は、通常時はオン（閉）されており、後述するように、制御装置（判定手段）６によって開閉制御され、制御装置６によって過放電状態にあるリチウムイオンセル２があると判定された場合に、リチウムイオン組電池２０の充電を回避するものである。
【００２３】
さらに、充電スイッチ４１と並列にバイパスダイオード４２が接続されている。このバイパスダイオード４２は、リチウムイオン組電池２０からの電流の流れのみを許容する機能を有し、リチウムイオン組電池２０へは電流が流れないようになっている。これにより、リチウムイオン組電池２０から負荷設備１００への放電が、バイパスダイオード４２を介して常時可能であり、商用電源３１の停電や整流器３２の故障などに際して、リチウムイオン組電池２０から負荷設備１００にバックアップ電力が供給されるようになっている。
【００２４】
また、リチウムイオン組電池２０には、監視装置（監視手段）５が取り付けられている。この監視装置５は、各リチウムイオンセル２の電圧およびリチウムイオン組電池２０全体の電圧を測定し、メモリ（図示せず）に記憶する装置であり、具体的には、各リチウムイオンセル２に接続され、各リチウムイオンセル２の電圧を測定するセル電圧計と、リチウムイオン組電池２０の両端子に接続され、リチウムイオン組電池２０全体の電圧を測定する総電圧計とを備えている。そして、例えば後述するように、リチウムイオン組電池２０が放電した際に、放電末期を含む全放電中のリチウムイオン組電池２０全体および各リチウムイオンセル２の電圧を測定し、記憶（監視）する。
【００２５】
このような監視装置５に、制御装置６が通信可能に接続されている。この制御装置６は、監視装置５によって測定、記憶された電圧に基づいて、充電スイッチ４１を開閉制御するものである。具体的には、放電したリチウムイオン組電池２０を回復充電する前に、監視装置５によって測定、記憶された放電末期の各リチウムイオンセル２の電圧に基づいて、リチウムイオン組電池２０のなかに過放電状態にあるリチウムイオンセル２があるか否かを判定する。そして、過放電状態にあるリチウムイオンセル２があると判定した場合には、充電スイッチ４１に「オフ（開）指令」を送信するものである。
【００２６】
ここで、各リチウムイオンセル２が過放電状態か否かの判定は、放電末期の各リチウムイオンセル２の電圧が、過放電と認められる電圧以下に達したか否かによって行う。また、過放電と認められる電圧は、放電終止電圧（放電を終了すべき電圧）や、リチウムイオン組電池２０の経年、周囲温度、あるいは放電電流の大きさなどに基づいて設定されている。
【００２７】
以上のような充電スイッチ４１、バイパスダイオード４２、監視装置５、および制御装置６によって、リチウムイオン組電池２０を管理する管理装置が構成されている。そして、この管理装置とリチウムイオン組電池２０とによって、リチウムイオン組電池ユニット１が構成され、この実施の形態では、組電池ユニット１が整流器３２および負荷設備１００に対して着脱自在に接続されている。また、リチウムイオン組電池２０は、充電スイッチ４１、バイパスダイオード４２および監視装置５に対して着脱自在に接続されている。
【００２８】
次に、このような構成の管理装置の作用および、この管理装置によるリチウムイオン組電池２０の管理方法（以下、単に「管理方法」という）などについて説明する。
【００２９】
まず、維持充電（フロート充電）時においては、充電スイッチ４１がオンされ、上記のように、商用電源３１から負荷設備１００およびリチウムイオン組電池２０全体に対して電力が供給され、リチウムイオン組電池２０全体が充電される。この充電時おいては、監視装置５によって、リチウムイオン組電池２０全体および各リチウムイオンセル２の電圧が測定、記憶される。
【００３０】
次に、商用電源３１の停電や整流器３２の故障などによって、商用電源３１から負荷設備１００への電力供給が停止されると、バイパスダイオード４２を介して瞬時に（無瞬断で）リチウムイオン組電池２０が放電を開始し、リチウムイオン組電池２０からの電力が負荷設備１００に供給される。この放電中においては、上記のように、少なくとも放電が終了するまで、監視装置５によって、リチウムイオン組電池２０全体および各リチウムイオンセル２の電圧が測定、記憶される。
【００３１】
ここで、通常は、過放電を防止するために、リチウムイオン組電池２０全体の総電圧が所定の電圧（総放電終止電圧）に達した時点、あるいはいずれかのリチウムイオンセル２のセル電圧が所定の電圧（セル放電終止電圧）に達した時点で、放電が終了される。しかしながら、負荷設備１００が重要性の高い通信機器などの場合には、このような放電終止電圧よりも低い電圧まで放電せざるを得ない場合がある。
【００３２】
続いて、商用電源３１からの電力供給が可能（復旧）になると、商用電源３１から負荷設備１００に対して再び電力が供給される。同時に、制御装置６によって上記のようにして、リチウムイオン組電池２０のなかに過放電状態にあるリチウムイオンセル２があるか否かが判定され、過放電状態にあるリチウムイオンセル２があると判定された場合には、充電スイッチ４１に「オフ指令」が送信される。これにより、充電スイッチ４１がオフ（開）し、リチウムイオン組電池２０に対する充電が行われない。一方、制御装置６によって過放電状態にあるリチウムイオンセル２がないと判定された場合には、充電スイッチ４１のオン状態が維持され、リチウムイオン組電池２０に対する充電が行われるものである。
【００３３】
以上のように、この管理装置および管理方法によれば、リチウムイオン組電池２０が放電した際の放電末期の各リチウムイオンセル２の電圧に基づいて、過放電状態にあるリチウムイオンセル２があるか否かを判定する。つまり、実際の放電時の電圧に基づいて判定するため、過放電状態にあるリチウムイオンセル２の有無を適正に判定することが可能である。そして、このような適正な判定結果に基づいて、過放電状態にあるリチウムイオンセル２がある場合には、リチウムイオン組電池２０の充電を行わない。このため、放電終止電圧よりも低い電圧まで放電せざるを得ない場合があっても、過放電したことによる内部短絡や異常発熱などをより確実に防止することが可能となる。
【００３４】
（実施の形態２）
この実施の形態では、過放電状態にあるリチウムイオンセル２があるか否かの判定方法が、実施の形態１と異なり、その他の構成については、実施の形態１と同等である。このため、実施の形態１と同等の構成については、同一符号を付することで、その説明を省略する。
【００３５】
すなわち、この実施の形態では、リチウムイオン組電池２０を回復充電（本充電）する前に、リチウムイオン組電池２０を一時的に仮充電し、各リチウムイオンセル２の電圧上昇状況に基づいて、リチウムイオン組電池２０のなかに過放電状態にあるリチウムイオンセル２があるか否かを判定する。具体的には、リチウムイオン組電池２０の放電後に整流器３２（商用電源３１）からの電力供給が可能になった時点では、充電スイッチ４１のオン状態が維持されている。このため、整流器３２からの電力供給を受けて、リチウムイオン組電池２０が仮充電される。
【００３６】
続いて、仮充電中におけるリチウムイオン組電池２０全体および各リチウムイオンセル２の電圧が、監視装置５によって測定、記憶される。そして、制御装置６において、監視装置５で測定、記憶された各リチウムイオンセル２の電圧から、単位時間当たりの電圧上昇量（ΔＶ／Δｔ）を算出し、この電圧上昇量（ΔＶ／Δｔ）が所定の値（閾値）よりも小さいか否かによって、過放電状態にあるリチウムイオンセル２があるか否かを判定する。つまり、過放電状態の場合には、充電を行っても適正に電圧が上昇せず、電圧上昇量（ΔＶ／Δｔ）が所定の値よりも小さいと考えられることから、このような判定を行うものである。
【００３７】
そして、過放電状態にあるリチウムイオンセル２があると判定した場合には、制御装置６によって充電スイッチ４１がオフされ、リチウムイオン組電池２０に対する本充電が行われない。このように、商用電源３１、整流器３２、監視装置５および制御装置６によって、リチウムイオン組電池２０を一時的に仮充電する仮充電手段が構成されている。
【００３８】
ここで、仮充電の時間（Δｔ）は、電圧上昇量（ΔＶ／Δｔ）によって過放電状態を判定できる時間であり、かつ、過放電状態にあるリチウムイオンセル２を充電しても、内部短絡や異常発熱などが生じない時間に設定されている。また、電圧上昇量（ΔＶ／Δｔ）の所定の値（閾値）は、過放電状態を判定できる値であり、充電電流値やリチウムイオン組電池２０の経年、あるいは放電量などに基づいて設定されている。
【００３９】
以上のように、この実施の形態によれば、リチウムイオン組電池２０を一時的に仮充電し、各リチウムイオンセル２の電圧上昇状況に基づいて、過放電状態にあるリチウムイオンセル２があるか否かを判定する。つまり、仮充電で適正に充電されているか否かによって、過放電状態か否かを判定するため、過放電状態にあるリチウムイオンセル２の有無を適正に判定することが可能である。このため、実施の形態１と同様に、過放電したことによる内部短絡や異常発熱などをより確実に防止することが可能となる。
【００４０】
（実施の形態３）
図２は、この実施の形態に係る管理装置を備えたリチウムイオン組電池ユニット１を整流装置に適用した状態を示す概略構成図である。この実施の形態では、過放電状態にあるリチウムイオンセル２があるか否かの判定方法が、実施の形態１と異なり、その他の構成については、実施の形態１と同等である。このため、実施の形態１と同等の構成については、同一符号を付することで、その説明を省略する。
【００４１】
すなわち、この実施の形態では、整流器３２と制御装置６とが通信可能に接続され、整流器３２からの電力供給が開始可能になった際に、その旨の信号（復旧信号）が制御装置６に送信され、また、制御装置６からの制御信号に基づいて整流器３２が制御されるようになっている。そして、リチウムイオン組電池２０を回復充電（本充電）する前に、リチウムイオン組電池２０を一時的に仮放電し、各リチウムイオンセル２の電圧降下状況に基づいて、リチウムイオン組電池２０のなかに過放電状態にあるリチウムイオンセル２があるか否かを判定する。
【００４２】
具体的には、制御装置６が整流器３２から復旧信号を受信すると、制御装置６から整流器３２に対して供給停止指令が送信され、整流器３２からの電力供給はされない。このため、リチウムイオン組電池２０が一時的に仮放電し、リチウムイオン組電池２０から負荷設備１００に電力が供給される。
【００４３】
続いて、仮放電中におけるリチウムイオン組電池２０全体および各リチウムイオンセル２の電圧が、監視装置５によって測定、記憶される。そして、制御装置６において、監視装置５で測定、記憶された各リチウムイオンセル２の電圧から、単位時間当たりの電圧降下量（ΔＶ／Δｔ）を算出し、この電圧降下量（ΔＶ／Δｔ）が所定の値（閾値）内であるか否かによって、過放電状態にあるリチウムイオンセル２があるか否かを判定する。つまり、過放電状態で放電を行うと、適正に電圧が降下せず（適正に放電せず）、電圧降下量（ΔＶ／Δｔ）が所定の値よりも小さい、あるいは大きいと考えられることから、このような判定を行うものである。
【００４４】
そして、過放電状態にあるリチウムイオンセル２があると判定した場合には、制御装置６によって充電スイッチ４１がオフされ、リチウムイオン組電池２０に対する本充電が行われない。また、仮放電後には、制御装置６から整流器３２に対して供給開始指令が送信され、整流器３２から負荷設備１００に電力が供給される。このとき、過放電状態にあるリチウムイオンセル２がないと判定された場合には、充電スイッチ４１がオンされているため、リチウムイオン組電池２０にも電力が供給され、本充電が行われる。このように、整流器３２、負荷設備１００および制御装置６によって、リチウムイオン組電池２０を一時的に仮放電する仮放電手段が構成されている。
【００４５】
ここで、仮放電の時間（Δｔ）は、電圧降下量（ΔＶ／Δｔ）によって過放電状態を判定できる時間であり、かつ、過放電状態にあるリチウムイオンセル２を放電しても、内部短絡や異常発熱などが生じない時間に設定されている。また、電圧降下量（ΔＶ／Δｔ）の所定の値（閾値）は、過放電状態を判定できる値であり、放電電流値やリチウムイオン組電池２０の経年、あるいは放電開始時の電圧値などに基づいて設定されている。
【００４６】
以上のように、この実施の形態によれば、リチウムイオン組電池２０を一時的に仮放電し、各リチウムイオンセル２の電圧降下状況に基づいて、過放電状態にあるリチウムイオンセル２があるか否かを判定する。つまり、仮放電で適正に放電するか否かによって、過放電状態か否かを判定するため、過放電状態にあるリチウムイオンセル２の有無を適正に判定することが可能である。このため、実施の形態１、２と同様に、過放電したことによる内部短絡や異常発熱などをより確実に防止することが可能となる。
【００４７】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態２では、商用電源３１、整流器３２、監視装置５および制御装置６によって仮充電手段を構成しているが、単独の充電器を仮充電手段としてもよい。同様に、実施の形態３では、整流器３２、負荷設備１００および制御装置６によって仮放電手段を構成しているが、単独の放電器を仮放電手段としてもよい。さらに、実施の形態１〜３において、監視装置５と制御装置６とを一体にしてもよい。
【００４８】
また、１組のリチウムイオン組電池２０を有する場合について説明したが、リチウムイオン組電池２０を並列に複数接続した場合にも適用することができる。さらに、リチウムイオン組電池２０を整流装置に適用した場合について説明したが、無停電電源装置（ＵＰＳ：Ｕｎｉｎｔｅｒｒｕｐｔｉｂｌｅ  Ｐｏｗｅｒ  Ｓｕｐｐｌｙ）や自動車用蓄電池などにも適用することができる。
【符号の説明】
【００４９】
１        リチウムイオン組電池ユニット
２        リチウムイオンセル（リチウムイオン二次電池）
２０      リチウムイオン組電池
３１      商用電源
３２      整流器
４１      充電スイッチ（回避手段）
４２      バイパスダイオード
５        監視装置（監視手段）
６        制御装置（判定手段）
１００    負荷設備
【図１】
0005626756.tif 000002
【図２】
0005626756.tif 000003